(57)【要約】【課題】最上階の居室を第一種換気によって換気するものでありながら、最上階の居室に居る者に換気による不快感を与えない換気システムを提供する。【解決手段】例えば住宅用の戸建て二階建て建物において、二階の階段室５の天井部に強制排気口１２が設けられ、二階において階段室と連絡する居室３内の出入り口１２側の天井部に強制給気口１４が設けられ、強制排気口１２と強制給気口１４とで二階居室３において第一種換気が行われるようになされている。階段室５の天井裏に給排気換気ユニット１７が備えられ、これ１７が強制排気口１２にダクトレスで接続され、強制給気口１４が天井裏においてダクト１８で換気ユニット１７に接続されている。【選択図】      図１
2004257708.tif 000002
【特許請求の範囲】
【請求項１】
最上階の居室外に強制排気口が設けられると共に、最上階において居室外と連絡する居室内の出入り口側の天井部に強制給気口が設けられ、前記強制排気口と強制給気口とで最上階の居室において第一種換気が行われるようになされていることを特徴とする住宅用戸建て建物内における換気システム。
【請求項２】
前記強制排気口が最上階の居室外の天井部に備えられると共に、居室外の天井裏に給排気型の換気ユニットが備えられ、該換気ユニットが、強制排気口にダクトレスで直接接続されると共に、強制給気口が天井裏においてダクトで換気ユニットに接続されている請求項１に記載の住宅用戸建て建物内における換気システム。
【請求項３】
最上階において居室外と連絡する居室が複数備えられ、各居室に強制給気口が設けられ、各強制給気口が天井裏においてダクトで前記換気ユニットに接続されている請求項２に記載の住宅用戸建て建物内における換気システム。
【請求項４】
下階の居室に自然給気口が備えられ、前記最上階における居室外の強制排気口によって下階の居室で第三種換気が行われるようになされている請求項１乃至３に記載の住宅用戸建て建物内における換気システム。
【発明の詳細な説明】
【０００１】
【発明の属する技術分野】
本発明は、住宅用戸建て建物内における換気システムに関する。
【０００２】
【従来の技術】
【特許文献１】特開平１１−８３１０９号公報
住宅用建物の高気密化が進められるなかで、例えば、住宅用の戸建ての二階建て建物における屋内換気システムとして、建物の二階に強制給気口と強制排気口を設けて建物二階の居室を第一種換気で換気し、建物一階は自然給気口を設けて第三種換気で換気が行われるようにした換気システムは提案されている。
【０００３】
【発明が解決しようとする課題】
しかしながら、上記の換気システムでは、特に最上階である二階居室を強制給気も行う第一種換気で換気するものとなされているなかで、その強制給気口は、建物の外壁側の壁面等に備えられており、そのため、強制給気口から強制排気口に向かう空気の流れが二階居室の広い範囲におよび、それが、特に冬期においてコールドドラフトを生じさせ、二階居室に居る者に不快な思いをさせてしまうことがある。
【０００４】
本発明は、上記のような問題点に鑑み、最上階の居室を第一種換気によって換気するものでありながら、最上階の居室に居る者に換気による不快感を与えない換気システムを提供することを課題の一つとする。
【０００５】
【課題を解決するための手段】
上記の課題は、最上階の居室外に強制排気口が設けられると共に、最上階において居室外と連絡する居室内の出入り口側の天井部に強制給気口が設けられ、前記強制排気口と強制給気口とで最上階の居室において第一種換気が行われるようになされていることを特徴とする住宅用戸建て建物内における換気システムによって解決される。
【０００６】
この換気システムでは、最上階の居室における第一種換気のための給気が、最上階において居室外と連絡する居室内の出入り口側の天井部に設けられた強制給気口からの給気で行われるようになされている。即ち、居室外と連絡する居室内の出入り口側というのは、人が出入りするところであり、一般に常時そこに人が居るというところではないから、そこに強制給気のための空気を吹き出すようにしても、人に給気流による不快感が与えられることはない。従って、最上階の居室を第一種換気によって換気するものでありながら、最上階の居室に居る者に換気による不快感を与えることがなく、最上階の居室において快適な第一種換気を実現することができる。特に、強制給気口からの給気の方向が下方に向けられている場合は、換気による不快感を効果的になくすことができる。
【０００７】
なお、強制給気による給気は、居室外と連絡する居室内の出入り口側に備えられているので、直接的な給気流は居室内の出入り口側に形成されるが、給気の流量や風速等を設定することで、この給気流の作用によって居室内全体に、必要な換気効果を及ぼすことができるので、給気を居室内の出入り口側において行うようにしても、居室内の換気効果に障害を及ぼすことはない。
【０００８】
しかも、強制給気口は最上階の居室の天井部に設けられているから、例えば壁に給気口を設ける場合のように、居室室内の意匠性を損なわせるような要因とならず、居室を意匠性良好なものに仕上げることができる。
【０００９】
上記の換気システムにおいて、強制排気口が最上階の居室外の天井部に備えられると共に、居室外の天井裏に給排気型の換気ユニットが備えられ、該換気ユニットが、強制排気口にダクトレスで直接接続されると共に、強制給気口が天井裏においてダクトで換気ユニットに接続されているとよい。
【００１０】
この場合は、天井裏ダクト式のものでありながら、強制排気のためのダクトを省略することができるのみならず、強制給気口が、居室外と連絡する居室内の出入り口側に備えられていることにより、強制給気口と換気ユニットとをつなぐダクトの長さを短くすることができて、コストダウンを実現することができる。
【００１１】
また、上記の換気システムにおいて、最上階において居室外と連絡する居室が複数備えられ、各居室に強制給気口が設けられ、各強制給気口が天井裏においてダクトで前記換気ユニットに接続されている場合は、換気ユニットと各居室の強制給気口とをつなぐダクトの本数も多くなるが、強制給気口が、居室外と連絡する各居室内の出入り口側に備えられていることにより、各ダクトの長さを短くすることができて、コストダウンを実現することができる。
【００１２】
更に、上記の換気システムにおいて、下階の居室に自然給気口が備えられ、前記最上階における居室外の強制排気口によって下階の居室で第三種換気が行われるようになされているとよい。
【００１３】
この場合は、下階に第三種換気のための専用の強制排気口を設ける必要をなくすことができ、最上階の第一種換気と下階の第三種換気を行う換気システムにおいて、そのシステム全体のコストを低く抑えることができる。なお、強制排気口による排気能力を便所や台所の換気扇による排気能力で補助する構成にしてもよいが、最上階の強制排気口を下階の第三種換気の主たる強制排気口とする場合には、下階の便所や台所の換気扇を下階の第三種換気の主たる強制排気口とする場合のように、下階の居室を換気するために便所や台所の換気扇を駆動させなければならないということがなく、居室と、便所や台所とを個別に換気することが可能となる。
【００１４】
【発明の実施の形態】
次に、本発明の実施形態を図面に基づいて説明する。
【００１５】
第１実施形態の換気システムは、図３に示すように、住宅用の戸建ての二階建て建物に適用したもので、建物の一階には、リビング等の居室１や、便所２又は洗面室が備えられ、建物の最上階である二階には、主寝室などに用いる居室３や、便所４が備えられ、一階と二階は階段室５で連通されている。本実施形態では、本発明における最上階の居室外を階段室５としている。図１は、建物の二階を平面で示しており、二階には、上記の居室３のほか、子供部屋などに用いる２つの居室６，７や、収納部としての、納戸８、クロゼット９，１０、ウォークインクロゼット１１などが備えられている。
【００１６】
そして、階段室５の二階天井部には強制排気口１２が設けられると共に、二階の各居室３，６，７内の、階段室５と連通する出入り口部１３側としての出入り口部１３近傍の天井部には下向きに給気を行う強制給気口１４，１４，１４が設けられ、これら強制排気口１２と強制給気口１４，１４，１４とで二階各居室３，６，７において第一種換気が行われるように設計されている。なお、二階の各居室３，６，７から階段室５への空気の流れは、各居室の出入り口部１３の建具１５のアンダーカット部１６を通じて行われるようになされているが、その他を通じて行われるようになされていてもよい。
【００１７】
二階における上記の強制給排気のため、本実施形態では、図３に示すように、階段室５の二階部分の天井裏に給排気型の換気ユニット１７が備えられ、この換気ユニット１７が、階段室５の強制排気口１２にダクトレスで直接接続されると共に、図１及び図３に示すように、二階の各居室３，６，７の強制給気口１４，１４，１４は、天井裏を延ばされたダクト１８，１８，１８によって換気ユニット１７と接続されている。１９，２０は屋外に対する給排気用のダクトである。
【００１８】
また、一階居室１には自然給気口２１が設けられ、前記強制排気口１２によって一階居室１で第三種換気が行われるように設計されている。
【００１９】
なお、一階の便所又は洗面室２と二階の便所４には排気フィン２２，２２が備えられているが、本実施形態では、これら排気フィン２２，２２は二階の第一種換気や一階の第三種換気には実質的に寄与しない設計となされているが、これら排気フィン２２，２２を、強制排気口１２による上記の第一種換気や第三種換気を補助するものとして備えさせるようにしてもよい。
【００２０】
上記の換気システムでは、二階の居室３，６，７における第一種換気のための給気が、二階において階段室５と連絡する居室３，６，７内の出入り口部１３近傍位置の天井部に設けられた強制給気口１４，１４，１４からの給気で行われるようになされているので、階段室５と連絡する居室３，６，７内の出入り口部１３側というのは人が出入りするところで一般に常時そこに人が居るというところではないから、そこに強制給気のための空気を吹き出すようにしても、人に給気流による不快感が与えられることはないことによって、二階居室３，６，７を第一種換気によって換気するものでありながら、該居室３，６，７に居る者に換気による不快感を与えることがなく、二階居室３，６，７において快適な第一種換気が実現される。
【００２１】
しかも、強制給気口１４，１４，１４は居室３，６，７の天井部に設けられているから、例えば壁に給気口を設ける場合のように、居室内の意匠性を損なわせるような要因とならず、居室３，６，７を意匠性良好なものに仕上げることができる。
【００２２】
また、上記の換気システムでは、階段室５の天井裏に給排気型の換気ユニット１７が備えられ、該換気ユニット１７が、強制排気口１２にダクトレスで直接接続されると共に、強制給気口１４，１４，１４が天井裏においてダクト１８，１８，１８で換気ユニット１７に接続されているので、天井裏ダクト式を採用する換気システムでありながら、強制排気のためのダクトを省略することができると共に、強制給気口１４，１４，１４が、階段室５と連絡する居室３，６，７内の出入り口部１３側に備えられていることによって、強制給気口１４，１４，１４と換気ユニット１７とをつなぐダクト１８，１８，１８の長さを短くすることができて、換気システムを採用する上でのコストダウンを実現することができる。
【００２３】
また、上記の換気システムでは、上記のように、二階において、階段室５と連絡する３つの居室３，６，７が備えられ、各居室３，６，７に強制給気口１４，１４，１４が設けられ、各強制給気口１４，１４，１４が天井裏においてダクト１８，１８，１８で換気ユニット１７に接続されているので、換気ユニット１７と各居室３，６，７の強制給気口１４，１４，１４とをつなぐダクト１８，１８，１８の本数は多くなるが、強制給気口１４，１４，１４が、階段室５と連絡する各居室３，６，７内の出入り口部１３近傍に備えられていることにより、各ダクト１８，１８，１８の長さを短くすることができて、コストダウンを実現できる。
【００２４】
更に、上記の換気システムにおいて、一階の居室１に自然給気口が備えられ、二階の階段室５の強制排気口１２によって一階の居室１で第三種換気が行われるようになされているので、一階に第三種換気のための専用の強制排気口を設ける必要をなくすことができ、二階の第一種換気と一階の第三種換気を行う換気システムにおいて、そのシステム全体のコストを低く抑えることができる。なお、強制排気口１２による排気能力を便所や台所の換気扇による排気能力で補助する構成にしてもよいが、二階の強制排気口１２を一階の第三種換気の主たる強制排気口とする場合には、一階の便所２や台所の換気扇を一階の第三種換気の主たる強制排気口とする場合のように、一階の居室１を換気するために便所２，４や台所の換気扇を駆動させなければならないということがなく、居室１と、便所２，４や台所とを個別に換気することが可能となる。
【００２５】
図２に示す第２実施形態では、強制給気口１４が、二階の居室６，７ではクロゼット９，１０の扉の前の天井部に備えられていると共に、居室３では、ウォークインクロゼット１１の扉の前の天井部に備えられている。この場合であっても、居室３，６，７内の人滞在部に強制給気による気流が直接作用することはなく、そのため、各居室３，６，７において快適な第一種換気が実現される。また、換気ユニット１７と各強制給気口１４，１４，１４とをつなぐダクト１８，１８，１８も、居室の外壁側の天井部に備えさせる場合に比べて短くすることができる。
【００２６】
即ち、本発明において、強制給気口の設けられる天井部の位置を特定するための「居室内の出入り口側」の語は、居室内の出入り口部の近傍位置のほか、近傍でない場合であっても、要は、居室内において強制給気口１４と出入り口部１３とが強制給気流との関係で人不滞在部分を介して連絡される位置をも含む意味において使用している。
【００２７】
因みに、図４は比較例で、各居室３，６，７において、強制給気口１４と出入り口部１３とが強制給気流との関係で人滞在の可能性の高い部分を介して連絡されるように、各強制給気口１４が備えられており、本発明の範疇から外れる換気システムの例である。このような換気システムでは、快適な第一種換気は実現されにくく、また、ダクト１８，１８，１８の長さも長くする必要がある。
【００２８】
以上に、本発明の実施形態を示したが、本発明はこれに限られるものではなく、発明思想を逸脱しない範囲で各種の変更が可能である。例えば、上記の実施形態で、住宅用の戸建ての建物のうち、二階建ての建物に手強した場合を示しているが、三階建て屋それ以上の建物に適用することも可能である。その場合に、例えば三階建て建物であれば、三階が最上階であり、一階、二階が下階ということになる。また、上記の実施形態では、「最上階の居室外」が階段室である場合を示しているが、最上階と下階とをつなぐその他の吹き抜け空間を備えた建物であるような場合には、最上階の吹き抜け空間部を「最上階の居室外」としてもよい。階段室も吹き抜け空間の概念に含まれることはいうまでもない。また、上記の実施形態では、換気ユニット１７を直接に強制排気口１２と接続している場合を示しているが、換気ユニット１７と強制排気口１２とをダクトを介して接続するようにしてもよい。
【００２９】
【発明の効果】
本発明は、以上のとおりのものであるから、最上階の居室を第一種換気によって換気するものでありながら、最上階の居室に居る者に換気による不快感を与えることがない。
【図面の簡単な説明】
【図１】第１実施形態の換気システムを示すもので、建物の最上階の断面平面図である。
【図２】第２実施形態の換気システムを示すもので、建物の最上階の断面平面図である。
【図３】各実施形態に共通のもので、建物の断面側面図である。
【図４】比較例の換気システムを示すもので、建物の最上階の断面平面図である。
【符号の説明】
１…一階居室（下階の居室）
３，６，７…二階居室（最上階の居室）
５…階段室（最上階の居室外）
１２…強制排気口
１３…出入口部
１４…強制給気口
１７…換気ユニット
１８…ダクト
２１…自然給気口
【図１】
2004257708.tif 000003
【図２】
2004257708.tif 000004
【図３】
2004257708.tif 000005
【図４】
2004257708.tif 000006